(57)【要約】【課題】測定条件に応じて、測定周期及び測定時間を適切な値に変更して遅延プロファイル測定を行い、伝送品質の向上を図る。【解決手段】測定周期保持部１１は、無線環境、サービス品質に対応した、遅延プロファイル測定の測定周期を保持する。無線環境としては、拡散コードの個数、サービス品質としては、受信品質が該当する。変化認識部１２は、無線環境、サービス品質の変化を認識して通知する。測定周期取得部１３は、通知された変化に応じた測定周期を測定周期保持部１１から取得する。遅延プロファイル測定部１４は、取得した測定周期にもとづいて、遅延プロファイル測定を行う。【選択図】        図１
2004179835.tif 000002
【特許請求の範囲】
【請求項１】
無線通信を行う通信装置において、
無線環境、サービス品質に対応した、遅延プロファイル測定の測定周期を保持する測定周期保持部と、
無線環境、サービス品質の変化を認識して通知する変化認識部と、
通知された変化に応じた測定周期を前記測定周期保持部から取得する測定周期取得部と、
取得した測定周期にもとづき、遅延プロファイル測定に必要な適切な時間内で、遅延プロファイル測定を行う遅延プロファイル測定部と、
を有することを特徴とする通信装置。
【請求項２】
前記測定周期保持部は、無線環境として、遅延プロファイル測定対象の拡散コードの個数に対応した、遅延プロファイル測定の測定周期を保持し、前記変化認識部は、無線環境の変化として、前記拡散コードの個数の増減を認識することを特徴とする請求項１記載の通信装置。
【請求項３】
前記測定周期保持部は、サービス品質として、受信品質にしたがった遅延プロファイル測定の測定時間に対応した、遅延プロファイル測定の測定周期を保持し、前記変化認識部は、サービス品質の変化として、前記測定時間の増減を認識することを特徴とする請求項１記載の通信装置。
【請求項４】
前記測定周期保持部は、無線環境及びサービス品質として、遅延プロファイル測定対象の拡散コードの個数及び受信品質にしたがった遅延プロファイル測定の測定時間に対応した、遅延プロファイル測定の測定周期を保持し、前記変化認識部は、無線環境及びサービス品質の変化として、前記拡散コードの個数の増減及び前記測定時間の増減を認識することを特徴とする請求項１記載の通信装置。
【請求項５】
遅延波のタイミング検出に用いる、受信信号と拡散コードとの相関情報である遅延プロファイル情報を生成する機能を備えた、スペクトラム拡散された無線信号を受信する受信装置において、
前記遅延プロファイルの生成は、該生成の対象の拡散コードが複数ある場合に、拡散コードを順に相関検出を行う相関検出部に設定して、前記相関情報を測定して、同一の拡散コードについてはそれぞれ所定の周期で前記相関検出を行い、
前記生成の対象の拡散コードの数が増加した場合又は前記同一の拡散コードを設定して相関情報を測定する時間が増加した場合に、前記所定の周期を増大させる方向に反映させる反映部、
を備えたことを特徴とする受信装置。
【発明の詳細な説明】
【０００１】
【発明の属する技術分野】
本発明は、通信装置に関し、特にスペクトラム拡散された無線信号を受信する通信装置に関する。
【０００２】
【従来の技術】
近年、携帯電話をはじめとする移動体通信の加入者数は、爆発的に増加している。また、携帯電話は、音声通話だけでなく、インターネットとの融合を進めた複合機能を持つ端末としての比重が高くなっており、モバイル分野におけるマルチメディアサービスへの発展が期待されている。
【０００３】
このような状況の中で、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）といった多元接続方式では、これから増加し続ける加入者や膨大なデータ伝送を行うマルチメディア通信に対応することができない。このため、次世代無線アクセス方式として、ＣＤＭＡ（Ｃｏｄｅ  Ｄｉｖｉｓｉｏｎ  Ｍｕｌｔｉｐｌｅ  Ａｃｃｅｓｓ）方式が開発された。ＣＤＭＡは、信号をスペクトラム拡散して伝送し、受信側は送信側と全く同じ拡散コードを受信信号にタイミングを合せて乗積する（逆拡散）ことで信号再生が可能となるものである。
【０００４】
ＦＤＭＡでは、ユーザがある周波数を使用しているときは、他のユーザはその周波数を使用することができないが、ＣＤＭＡでは、上述の拡散コードにより各ユーザは識別されるので、同じ周波数を複数ユーザが共有しても相互に干渉せず通信を行うことができ、周波数利用効率の改善を図ることができる。
【０００５】
また、ＴＤＭＡは、ユーザがある時間帯を使用しているときは、他のユーザはその時間帯を使用することができないが、ＣＤＭＡでは、上述の拡散コードにより各ユーザは識別されるので、同じ時間帯を複数ユーザが共有しても相互に干渉せず通信を行うことができ、時間帯の利用効率の改善を図ることができる。
【０００６】
次世代の移動通信方式として、ＩＭＴ２０００（Ｉｎｔｅｒｎａｔｉｏｎａｌ  ｍｏｂｉｌｅ  ｔｅｌｅｃｏｍｍｕｎｉｃａｔｉｏｎ  ２０００）の標準化が進められ、サービスが開始されているが、ＩＭＴ２０００の基盤技術には、スペクトラム拡散技術が採用され、さまざまな方向から反射・散乱してくる電波を受信側で拾い集めて利用するＲＡＫＥ受信方式が採用されることにより、伝送品質の向上が図られている。
【０００７】
このため、これらの電波に対して遅延プロファイル測定を行って、各パスの遅延時間を検出することで、逆拡散に必要なタイミング情報を得る一方、携帯される受信機においては、消費電力を抑えつつ、かつ他機能に負荷がかからないようにすることが必要である。
【０００８】
従来、遅延プロファイルの測定技術として、所定変動を検出しない場合は、平均化遅延プロファイルの生成を間欠的に行うことで、平均化を行う回路の動作速度を抑えて、消費電力を低減させる技術が提案されている（例えば、特許文献１）。
【０００９】
【特許文献１】
特開２０００−２７８１７６号公報（段落番号〔００２４〕〜〔００３１〕，第２図）
【００１０】
【発明が解決しようとする課題】
遅延プロファイルの測定には、測定周期及び測定時間が設定される。図３６は遅延プロファイルの測定周期及び測定時間を示す図である。測定周期とは、遅延プロファイル測定を同一の拡散コードに対して、繰り返し行う際の周期のことである。測定時間とは、１個の拡散コードでの遅延プロファイル測定に必要な時間のことである。図において、測定周期Ｔは、拡散コード１個目〜ｎ個目の各々の測定時間ｔと、測定を行わない測定停止時間ｔｓとの和からなる。
【００１１】
ここで、遅延プロファイル測定において、受信機の消費電力を抑えたい場合には、遅延プロファイル測定を停止する時間を長くして、測定周期を長くすればよい。一方、移動端末の移動速度が速くなる等のように品質劣化が生じうる状況にある場合には、測定周期を短かくする必要がある。このように、測定周期に対しては、消費電力の低減と受信品質の確保を考慮し、両者のバランスを考えて設定する必要がある。従来では、測定周期として、低消費電力化のため、必要最小限の時間幅が固定的に設定されて、遅延プロファイル測定を行っていた。
【００１２】
しかし、上記のような従来の遅延プロファイル測定では、例えば、遅延プロファイル測定対象の拡散コードの個数の増加が発生したりすると、測定周期（固定された時間）内に、すべての拡散コードについて、遅延プロファイル測定を行うことができないなどといったことが生じ、伝送品質の低下を引き起こすといった問題が生じる。
【００１３】
また、上述の従来技術（特開２０００−２７８１７６号公報）では、移動端末の移動速度の変動のみが考慮され、かつ相関を求めて遅延プロファイルは定期的に出力するが、平均化の処理のみ間引いて、消費電力を低減させている。
【００１４】
したがって、無線環境の変化が考慮されていないため、拡散コードが増加したりするような場合などには十分対応できないといった問題があった。さらに、遅延プロファイル自体は、常に定期的に作成するため、増数拡散コードの対応が難しい。このように、従来技術では、遅延プロファイル測定を行う回路の測定周期、測定時間、停止時間といった時間的な利用率を必要に応じて柔軟に変更できなかった。
【００１５】
本発明はこのような点に鑑みてなされたものであり、遅延プロファイルの測定条件に応じて、測定周期及び測定時間を適切な値に変更して遅延プロファイル測定を行い、伝送品質の向上を図った通信装置を提供することを目的とする。
【００１６】
【課題を解決するための手段】
本発明では上記課題を解決するために、図１に示すような、無線通信を行う通信装置１０において、無線環境、サービス品質に対応した、遅延プロファイル測定の測定周期を保持する測定周期保持部１１と、無線環境、サービス品質の変化を認識して通知する変化認識部１２と、通知された変化に応じた測定周期を測定周期保持部１１から取得する測定周期取得部１３と、取得した測定周期にもとづき、遅延プロファイル測定に必要な適切な時間内で、遅延プロファイル測定を行う遅延プロファイル測定部１４と、を有することを特徴とする通信装置１０が提供される。
【００１７】
ここで、測定周期保持部１１は、無線環境、サービス品質に対応した、遅延プロファイル測定の測定周期を保持する。変化認識部１２は、無線環境、サービス品質の変化を認識して通知する。測定周期取得部１３は、通知された変化に応じた測定周期を測定周期保持部１１から取得する。遅延プロファイル測定部１４は、取得した測定周期にもとづき、遅延プロファイル測定に必要な適切な時間内で、遅延プロファイル測定を行う。
【００１８】
【発明の実施の形態】
以下、本発明の実施の形態を図面を参照して説明する。図１は本発明の通信装置の原理図である。通信装置１０は、マルチパス環境下で無線通信を行う、携帯電話などの移動体通信機である。
【００１９】
測定周期保持部１１は、無線環境、サービス品質に対応した、遅延プロファイル測定の測定周期を保持する。具体的には、無線環境として、遅延プロファイル測定対象の拡散コードの個数に対応した、遅延プロファイル測定の測定周期を保持する。また、受信品質にしたがった遅延プロファイル測定の測定時間に対応した、遅延プロファイル測定の測定周期を保持する。
【００２０】
変化認識部１２は、無線環境、受信品質の変化を認識して通知する。具体的には、無線環境の変化として、拡散コードの個数の増減を認識して、その個数の増減を測定周期取得部１３に通知し、また、受信品質として、遅延プロファイルの測定時間の増減を認識して、その測定時間の増減を測定周期取得部１３に通知する。
【００２１】
測定周期取得部１３は、通知された変化情報に応じた測定周期を測定周期保持部１１から取得する（すなわち、変化に応じて、測定周期が切り替わることになる）。遅延プロファイル測定部１４は、取得した測定周期にもとづき、遅延プロファイル測定に必要な適切な時間内で、遅延プロファイル測定を行う。なお、通信装置１０の詳細な構成及び動作については図４以降で後述する。
【００２２】
次に遅延プロファイル測定部１４で行われる遅延プロファイル測定について説明する。最初に、ＣＤＭＡ端末などに用いられているコード拡散方式の概要について説明する。図２はコード拡散方式を説明するための図である。局側では、送信データＤｓの１つのデータ列に対して、送信データＤｓよりも速度の速いビット列（送信データＤｓよりも細かいビット列）の拡散コードＣ０を乗算して拡散を行い、無線データＤｒにして出力する。
【００２３】
図では、送信データＤｓの“０”に拡散コードＣ０の“０１１０１”を乗算して（排他論理をとって）“０１１０１”とし、送信データＤｓの“１”に拡散コードＣ０の“０１１０１”を乗算して“１００１０”として、無線データＤｒを出力している。
【００２４】
受信機側では、送信側の局が使用した拡散コードと同じ拡散コードＣ０を持っており、受信した無線データＤｒをダウンコンバートして受信データＤ１を生成した後に、拡散コードＣ０を乗算して逆拡散を行い、逆拡散データＤ２を生成する。すなわち、受信データＤ１の“０１１０１”に拡散コードＣ０の“０１１０１を乗算して“０００００”とし、受信データＤ１の“１００１０”に拡散コードＣ０の“０１１０１”を乗算して“１１１１１”とし、再生データＤ３を生成する。
【００２５】
ここで、上記では説明を簡単にするため、受信データＤ１に拡散コードＣ０を乗算する際に、受信データＤ１及び拡散コードＣ０のそれぞれのスロットを、スロット同士ずれがなく掛け合わせて逆拡散を行った。ところが、実際には、受信データＤ１のスロット位置は、受信機側では不明である。このため、受信機では、まず、受信データＤ１のスロット位置を検出する必要がある（図のスロット境界Ａを見つければよい）。このスロット位置を検出する制御（遅延時間の検出制御と同じことである）が遅延プロファイル測定となる。
【００２６】
遅延プロファイル測定では、受信データＤ１に対して、拡散コードＣ０をビット単位でずらして乗算して逆拡散データを求め、逆拡散データの１スロット内のビットを加算するといった操作を繰り返す。
【００２７】
ここで、スロット内のビット値を加算する際には、逆拡散データの１スロット内の“０”または“１”のビットに対し、例えば、“０”に−１、“１”に＋１を割り当てて、スロット内の−１または＋１の加算を行う。好ましくは、受信データＤ１は、既知のパイロット信号を用いることで、雑音成分の影響が抑えられる。
【００２８】
このようなことを行って、拡散コードＣ０をずらしてそれぞれ加算していった結果をプロットしていくと、もし、受信データＤ１と拡散コードＣ０のスロットが合っていれば、逆拡散データＤ２は、ＡＬＬ“０”かＡＬＬ“１”になるので、図２の例では、加算値は−５または＋５となって大きく二極化することになる。このように、波形の振幅が最も大きくなったときを受信データＤ１と拡散コードＣ０とのスロット位置が一致している最も確からしい箇所とみなす（なお、このような制御を行って、スロット境界Ａを複数個検出した場合には、マルチパス信号（複数の反射波）を受信したことと認識できる）。
【００２９】
ここで、本発明における遅延プロファイル測定の測定周期及び測定時間について説明すると、測定周期とは、１つの拡散コードについての受信信号との相関を求めることができる測定時間が繰り返される周期であり、図３６のＴに相当する。なお、ある１つの拡散コードについての測定時間内には、相関を求めるマッチドフィルタ部においては、このある１つの拡散コードのみが設定され、相関及び遅延プロファイルが作成され、他の拡散コードについての測定時間内になると、他の拡散コードについての相関及び遅延プロファイルが作成される。したがって、この場合は、拡散コード数は１つとして考えることもできる。このように逆拡散を行うべき、すべての拡散コード数から送信元共通等の理由により、遅延プロファイルの作成が省略できる拡散コード数を除いた値を縮退した拡散コード数と称す。
【００３０】
一方、複数の送信データ列が、１つの送信元（１つの局）から送信されている場合、複数の送信データ列には、個々に対応した拡散コードが存在するが、この場合、スロット境界の検出は、すべての送信データ列に対して行う必要はなく、送信データ列の中から任意のデータ列を１つ選んで、選んだ送信データ列の拡散コードでスロット境界を検出すればよい（送信元が同じならば、他の送信データ列に対しては、各送信データ列間のずれが送信元から通知されるので、すべての送信データ列を対象に遅延プロファイル測定を行う必要はない）。
【００３１】
図３は遅延プロファイルの測定周期及び測定時間を示す図である。同一送信元から複数の送信データ列が送信されている場合について示している。局Ｂ１からは、送信データ列Ｄｓ１〜Ｄｓ３が出力され、送信データ列Ｄｓ１〜Ｄｓ３それぞれに対応して拡散コードＣ１〜Ｃ３が存在する。局Ｂ２からは、送信データ列ｄｓ１〜ｄｓ３が出力され、送信データ列ｄｓ１〜ｄｓ３それぞれに対応して拡散コードｃ１〜ｃ３が存在する。
【００３２】
このような状況において、受信機１００は、局Ｂ１に関しては、例えば、送信データ列Ｄｓ１を選択して、拡散コードＣ１で送信データ列Ｄｓ１のスロット先頭を検出する。また、局Ｂ２に関しては、例えば、送信データ列ｄｓ１を選択して、拡散コードｃ１で送信データ列ｄｓ１のスロット境界を検出する。
【００３３】
ここで、拡散コードＣ１による送信データ列Ｄｓ１についての測定時間をｔ０ａ、拡散コードｃ１による送信データ列ｄｓ１についての測定時間をｔ０ｂ、測定停止時間をｔｓ０とすれば、遅延プロファイルの測定周期Ｔ０と測定時間ｔ０ａ、ｔ０ｂ及び停止時間ｔｓ０は、図に示すような関係になる。
【００３４】
次に拡散コードの個数の増減に応じて測定周期を変更して、遅延プロファイル測定を行う本発明の通信装置の構成及び動作（遅延プロファイル測定方法）について説明する。
【００３５】
図４は通信装置の構成を示す図である。通信装置１０ａは、遅延プロファイル測定対象の拡散コードの個数に対応した測定周期を保持して、拡散コードの個数の増減により測定周期を変更して、遅延プロファイル測定を行う。
【００３６】
通信装置１０ａは、測定周期保持部１１ａ、変化認識部１２ａ、測定周期取得部１３ａ、遅延プロファイル測定部１４ａから構成される。また、変化認識部１２ａは、拡散コード判定部１２ａ−１、測定時間判定部１２ａ−２から構成され、遅延プロファイル測定部１４ａは、遅延プロファイル測定制御部１４ａ−１、タイマ１４ａ−２、遅延プロファイル測定実行部１４ａ−３から構成される。
〔Ｓ１〕測定周期保持部１１ａは、遅延プロファイル測定対象の拡散コードの個数と、実験やシミュレーションなどで求めた、適した測定周期の値との関係を記憶させておく。例えば、拡散コード数をアドレスとして、対応領域にそれぞれの測定周期の値を記憶する。
〔Ｓ２〕測定時間判定部１２ａ−２は、保持している測定時間を測定周期取得部１３ａに通知する。
〔Ｓ３〕拡散コード判定部１２ａ−１は、逆拡散に用いる拡散信号を受信して、拡散コードを検出する。そして、遅延プロファイル測定する必要のある拡散コードの個数を認識し、測定周期取得部１３ａにそれら個数を通知する。なお、遅延プロファイル測定部１４ａに入力される測定対象の拡散信号数を直接測定せずとも不図示制御部から、個数情報（縮退した拡散コード数）を得ることとしてもよい。
〔Ｓ４〕測定周期取得部１３ａは、拡散コードの個数にもとづき、測定周期保持部１１ａから、個数に対応する測定周期を取得する。
〔Ｓ５〕測定周期取得部１３ａは、遅延プロファイル測定部１４ａに、測定周期と、拡散コードの個数と、測定時間とを通知する。
〔Ｓ６〕遅延プロファイル測定制御部１４ａ−１は、遅延プロファイル測定実行部１４ａ−３から送信された測定完了通知を受信すると、拡散コードの個数と、測定時間とを遅延プロファイル測定実行部１４ａ−３に通知して測定する。
【００３７】
すなわち、拡散コードが２つであれば第１の測定時間では、マッチドフィルタ（相関検出部の１例）に第１の拡散コードを設定して、第１の拡散コードと受信拡散信号との相関を求め、かつ同相加算等を行い、次の第２の測定時間では、マッチドフィルタに第２の拡散コードを設定して、第２の拡散コードと受信拡散信号との相関を求め、かつ同相加算等を行う。
〔Ｓ７〕遅延プロファイル測定制御部１４ａ−１は、ステップＳ６の動作と同時に、タイマ１４ａ−２に測定周期を通知し、その周期でカウントを開始させる（すなわち、タイマ１４ａ−２は測定周期を計測する）。
〔Ｓ８〕遅延プロファイル測定実行部１４ａ−３は、個数分の拡散コードにもとづき、受信した拡散信号に対して遅延プロファイル測定を次々と行う。そして、１つの測定時間が経過し、測定が完了すると、遅延プロファイル測定結果を出力し、かつ測定完了通知を遅延プロファイル測定制御部１４ａ−１に送信する。
〔Ｓ９〕遅延プロファイル測定制御部１４ａ−１は、測定対象すべての拡散コードについての測定完了通知とタイマ１４ａ−２からのタイムアウト通知を受信すると、すべての拡散コードについての測定を実行し、停止していた遅延プロファイル測定実行部１４ａ−３に再び測定開始を通知する。
【００３８】
次に具体例をあげながら測定周期、測定時間、停止時間の関係について図５〜図１０を用いて詳しく説明する。図５は管理テーブルを示す図である。管理テーブル１１ａ−１は、測定周期保持部１１ａで保持されるテーブルであり、拡散コード個数と測定周期が対応したテーブルである。
【００３９】
この例では、遅延プロファイル測定対象の拡散コードの個数の取りうるパターンを１〜４８個とし、その拡散コードは１個づつ４ｍｓの測定時間で遅延プロファイル測定を行うものとして、適切な測定周期を決定しておいた場合である。
【００４０】
図６は拡散コードの個数が増減する前の状態を示す図である。図４の拡散コード判定部１２ａ−１により検出された遅延プロファイル測定する必要のある拡散コードの個数が増減する前の状態を示している。
【００４１】
ここで、増減前の拡散コードの個数が１６個の場合は、図５から測定周期は１００ｍｓとなる。したがって図６中のｎは１６、遅延プロファイル測定時間ｔ１は４ｍｓ、遅延プロファイル測定周期Ｔ１は１００ｍｓ、遅延プロファイル測定停止時間ｔｓ１は３６ｍｓとなる。
【００４２】
図７は拡散コードの個数が増加し、測定周期に変化がない場合の状態を示す図である。図６の状態から、拡散コードの個数が増加して２０個になった状態を考えると、図５から測定周期は１００ｍｓとなり、測定周期に変化はない。したがって、この場合の動作状態は図７の状態となり、図７中のｎは１６、ｍは４、遅延プロファイル測定時間ｔ２は４ｍｓ、遅延プロファイル測定周期Ｔ２は１００ｍｓ、遅延プロファイル測定停止時間ｔｓ２は２０ｍｓとなる。
【００４３】
図８は拡散コードの個数が増加し、測定周期に変化がある場合の状態を示す図である。図６の状態から、拡散コードの個数が増加して３０個になった状態を考えると、図５から測定周期は２００ｍｓとなり、測定周期が変化する。したがって、この場合の動作結果は図８の状態となり、図８中のｎは１６、ｍは１４、遅延プロファイル測定時間ｔ３は４ｍｓ、遅延プロファイル測定周期Ｔ３は２００ｍｓ、遅延プロファイル測定停止時間ｔｓ３は８０ｍｓとなる。
【００４４】
図９は拡散コードの個数が減少し、測定周期に変化がない場合の状態を示す図である。図６の状態から、拡散コードの個数が減少して１２個になった状態を考えると、図５から測定周期は１００ｍｓとなり、測定周期に変化はない。したがって、この場合の動作結果は図９の状態となり、図９中のｎは１６、ｍは４、遅延プロファイル測定時間ｔ４は４ｍｓ、遅延プロファイル測定周期Ｔ４は１００ｍｓ、遅延プロファイル測定停止時間ｔｓ４は５２ｍｓとなる。
【００４５】
図１０は拡散コードの個数が減少し、測定周期に変化がある場合の状態を示す図である。図６の状態から、拡散コードの個数が減少して８個になった状態を考えると、図５から測定周期は５０ｍｓとなり、測定周期が変化する。したがって、この場合の動作結果は図１０の状態となり、図１０中のｎは１６、ｍは８、遅延プロファイル測定時間ｔ５は４ｍｓ、遅延プロファイル測定周期Ｔ５は５０ｍｓ、遅延プロファイル測定停止時間ｔｓ５は１８ｍｓとなる。
【００４６】
次に受信品質にしたがった測定時間の増減に応じて測定周期を変更して、遅延プロファイル測定を行う本発明の通信装置の構成及び動作（遅延プロファイル測定方法）について説明する。
【００４７】
図１１は通信装置の構成を示す図である。通信装置１０ｂは、受信品質にしたがった遅延プロファイル測定の測定時間に対応した測定周期を保持して、測定時間の増減により測定周期を変更して、遅延プロファイル測定を行う。
【００４８】
通信装置１０ｂは、測定周期保持部１１ｂ、変化認識部１２ｂ、測定周期取得部１３ｂ、遅延プロファイル測定部１４ｂから構成される。変化認識部１２ｂは、拡散コード判定部１２ｂ−１、測定時間判定部１２ｂ−２から構成され、遅延プロファイル測定部１４ｂは、遅延プロファイル測定制御部１４ｂ−１、タイマ１４ｂ−２、遅延プロファイル測定実行部１４ｂ−３から構成される。
〔Ｓ１１〕測定周期保持部１１ｂは、受信品質にしたがった測定時間の取りうるパターンと、実験やシミュレーションなどで求めた、適した測定周期の値をあらかじめ記憶させておく。
〔Ｓ１２〕測定時間判定部１２ｂ−２は、受信状況に関する情報（例えば、実際の受信信号の品質の他、高速移動による受信品質が劣化しうるといった予想情報を含む）から、その所定の品質を満たせる測定時間を判定し、測定周期取得部１３ｂに通知する。
〔Ｓ１３〕拡散コード判定部１２ｂ−１は、拡散信号を受信して、拡散コード数（縮退した拡散コード数）を検出する。そして、拡散コードの個数を測定周期取得部１３ｂに通知する。
〔Ｓ１４〕測定周期取得部１３ｂは、通知された測定時間にもとづき、測定周期保持部１１ｂから、測定時間に対応する測定周期を取得する。
〔Ｓ１５〕測定周期取得部１３ｂは、遅延プロファイル測定部１４ｂに、測定周期と、拡散コードの個数と、測定時間とを通知する。
〔Ｓ１６〕遅延プロファイル測定制御部１４ｂ−１は、遅延プロファイル測定実行部１４ｂ−３から送信された測定完了通知を受信すると、拡散コードの個数と、測定時間とを遅延プロファイル測定実行部１４ｂ−３に通知して測定を開始させる。
〔Ｓ１７〕遅延プロファイル測定制御部１４ｂ−１は、ステップＳ１６の動作と同時に、タイマ１４ｂ−２に測定周期を通知し、その周期でカウントを開始させる。
〔Ｓ１８〕遅延プロファイル測定実行部１４ｂ−３は、個数分の拡散コードにもとづき、受信した拡散信号に対して遅延プロファイル測定を行う。そして、測定が完了すると、遅延プロファイル測定結果を出力し、かつ測定完了通知を遅延プロファイル測定制御部１４ｂ−１に送信する。
〔Ｓ１９〕遅延プロファイル測定制御部１４ｂ−１は、測定完了通知とタイマ１４ｂ−２からのタイムアウト通知を受信すると、遅延プロファイル測定実行部１４ｂ−３に再び測定開始を通知する。
【００４９】
次に具体例をあげながら測定周期、測定時間、停止時間の関係について図１２〜図１７を用いて詳しく説明する。図１２は管理テーブルを示す図である。管理テーブル１１ｂ−１は、測定周期保持部１１ｂで保持されるテーブルであり、測定時間と、測定周期とが対応したテーブルである。
【００５０】
この例では、受信品質にしたがった測定時間の取りうるパターンを４ｍｓまでの時間とし、拡散コードの個数は最大４８個で遅延プロファイル測定を行うとものとして、適切な測定周期を決定しておいた場合である。
【００５１】
図１３は測定時間が増減する前の状態を示す図である。増減前の測定時間が１．５ｍｓの場合は、図１２による測定周期は１００ｍｓとなる。したがって、拡散コードの個数が図１１中の拡散コード判定部１２ｂ−１により４０個と判定されたとすると、図１３中のｎは４０、遅延プロファイル測定時間ｔ１１は１．５ｍｓ、遅延プロファイル測定周期Ｔ１１は１００ｍｓ、遅延プロファイル測定停止時間ｔｓ１１は４０ｍｓとなる。
【００５２】
図１４は測定時間が増加し、測定周期に変化がない場合の状態を示す図である。図１３の状態から、測定時間が増加して２ｍｓになった状態を考えると、図１２から測定周期は１００ｍｓとなり、測定周期に変化はない。したがって、この場合の動作結果は図１４の状態となり、図１４中のｎは４０、遅延プロファイル測定時間ｔ１２は２ｍｓ、遅延プロファイル測定周期Ｔ１２は１００ｍｓ、遅延プロファイル測定停止時間ｔｓ１２は２０ｍｓとなる。
【００５３】
図１５は測定時間が増加し、測定周期に変化がある場合の状態を示す図である。図１３の状態から、測定時間が増加して３ｍｓになった状態を考えると、図１２から測定周期は２００ｍｓとなり、測定周期が変化する。したがって、この場合の動作結果は図１５の状態となり、図１５中のｎは４０、遅延プロファイル測定時間ｔ１３は３ｍｓ、遅延プロファイル測定周期Ｔ１３は２００ｍｓ、遅延プロファイル測定停止時間ｔｓ１３は８０ｍｓとなる。
【００５４】
図１６は測定時間が減少し、測定周期に変化がない場合の状態を示す図である。図１３の状態から、測定時間が減少して１．２ｍｓになった状態を考えると、図１２から測定周期は１００ｍｓとなり、測定周期に変化はない。したがって、この場合の動作結果は図１６の状態となり、図１６中のｎは４０、遅延プロファイル測定時間ｔ１４は１．２ｍｓ、遅延プロファイル測定周期Ｔ１４は１００ｍｓ、遅延プロファイル測定停止時間ｔｓ１４は５２ｍｓとなる。
【００５５】
図１７は測定時間が減少し、測定周期に変化がある場合の状態を示す図である。図１３の状態から、測定時間が減少して０．５ｍｓになった状態を考えると、図１２による測定周期は５０ｍｓとなり、測定周期が変化する。したがって、この場合の動作結果は図１７の状態となり、図１７中のｎは４０、遅延プロファイル測定時間ｔ１５は０．５ｍｓ、遅延プロファイル測定周期Ｔ１５は５０ｍｓ、遅延プロファイル測定停止時間ｔｓ１５は３０ｍｓとなる。
【００５６】
以上説明したように、本発明によれば、遅延プロファイル測定対象の拡散コードの個数や受信状況情報にしたがった測定時間の取りうるパターンに対して、あらかじめ測定周期を用意しておくので、拡散コードの個数や測定時間の増減が生じたときに、即座に測定周期を変更することができる。このため、遅延プロファイル測定の設定時間に柔軟性を持たせ、遅延プロファイル測定を行う回路の測定周期、測定時間、停止時間といった時間的な利用率を必要に応じて柔軟に変更できるので、伝送品質の向上を図ることが可能になる。
【００５７】
また、測定周期を変更する必要性の出てきた時点で、変更すべき測定周期を計算するなどといった回路が不要であるため、回路構成が簡略化され、装置の小型化が可能になる。
【００５８】
次に拡散コードの個数及び受信状況の情報にしたがった測定時間の増減に応じて測定周期を変更して、遅延プロファイル測定を行う本発明の通信装置の構成及び動作（遅延プロファイル測定方法）について説明する。
【００５９】
図１８は通信装置の構成を示す図である。通信装置１０ｃは、遅延プロファイル測定対象の拡散コードの個数及び受信状況の情報にしたがった遅延プロファイル測定の測定時間に対応した、遅延プロファイル測定の測定周期を保持して、拡散コードの個数の増減及び測定時間の増減により、測定周期を変更して遅延プロファイル測定を行う。
【００６０】
通信装置１０ｃは、測定周期保持部１１ｃ、変化認識部１２ｃ、測定周期取得部１３ｃ、遅延プロファイル測定部１４ｃから構成される。変化認識部１２ｃは、拡散コード判定部１２ｃ−１、測定時間判定部１２ｃ−２から構成され、遅延プロファイル測定部１４ｃは、遅延プロファイル測定制御部１４ｃ−１、タイマ１４ｃ−２、遅延プロファイル測定実行部１４ｃ−３から構成される。
〔Ｓ２１〕測定周期保持部１１ｃは、遅延プロファイル測定対象の拡散コードの個数の取りうるパターンと、受信状況の情報にしたがった測定時間の取りうるパターンとの組み合わせのすべて（または必要な一部分に対する組み合わせ）に対し、実験やシミュレーションなどで求めた、適した測定周期の値をあらかじめ記憶させておく。
〔Ｓ２２〕測定時間判定部１２ｃ−２は、受信状況の情報を受信して、その品質を満たせる測定時間を判定し、測定周期取得部１３ｃに通知する。
〔Ｓ２３〕拡散コード判定部１２ｃ−１は、拡散信号を受信して、拡散コードを検出する。そして、遅延プロファイル測定する必要のある拡散コードの個数を認識して、拡散コードの個数を測定周期取得部１３ｃに通知する。
〔Ｓ２４〕測定周期取得部１３ｃは、拡散コードの個数と測定時間との組み合わせにもとづき、測定周期保持部１１ｃから、組み合わせに対応する測定周期を取得する。
〔Ｓ２５〕測定周期取得部１３ｃは、遅延プロファイル測定部１４ｃに、測定周期と、拡散コードの個数と、測定時間とを通知する。
〔Ｓ２６〕遅延プロファイル測定制御部１４ｃ−１は、遅延プロファイル測定実行部１４ｃ−３から送信された測定完了通知を受信すると、拡散コードの個数と、測定時間とを遅延プロファイル測定実行部１４ｃ−３に通知して測定を開始させる。
〔Ｓ２７〕遅延プロファイル測定制御部１４ｃ−１は、ステップＳ２６の動作と同時に、タイマ１４ｃ−２に測定周期を通知し、その周期でカウントを開始させる。
〔Ｓ２８〕遅延プロファイル測定実行部１４ｃ−３は、個数分の拡散コードにもとづき、受信した拡散信号に対して遅延プロファイル測定を行う。そして、測定が完了すると、遅延プロファイル測定結果を出力し、かつ測定完了通知を遅延プロファイル測定制御部１４ｃ−１に送信する。
〔Ｓ２９〕遅延プロファイル測定制御部１４ｃ−１は、測定完了通知とタイマ１４ｃ−２からのタイムアウト通知を受信すると、遅延プロファイル測定実行部１４ｃ−３に再び測定開始を通知する。
【００６１】
図１９は管理テーブルを示す図である。管理テーブル１１ｃ−１は、測定周期保持部１１ｃで保持されるテーブルであり、拡散コード個数、測定時間、測定周期の組み合わせを記したテーブルである。
【００６２】
この例では、遅延プロファイル測定対象の拡散コードの個数の取りうるパターンを１〜４８個とし、受信品質にしたがった測定時間の取りうるパターンを４ｍｓまでの時間として、適切な測定周期を決定しておいた場合である。なお、このテーブルを使用しての測定周期、測定時間、停止時間の関係を示す状態については、上述した内容と基本的な考え方は同様であるので説明は省略する。
【００６３】
次に通信装置１０の他の実施の形態について説明する。上述した通信装置１０は、測定周期保持部１１で、拡散コード個数や受信状況の情報にしたがった測定時間のパターンに対応した測定周期にもとづき、遅延プロファイル測定を行うこととしたが、以降で説明する通信装置では、拡散コード個数や受信状況の情報にしたがった測定周期のパターンに対応した測定時間にもとづき、遅延プロファイル測定を行うものである。
【００６４】
すなわち、上述の通信装置１０では、条件の変化に応じて測定周期を変更して遅延プロファイル測定を行ったが、以降で説明する通信装置は、条件の変化に応じて測定時間を変更して遅延プロファイル測定を行うものである。
【００６５】
図２０は通信装置の構成を示す図である。通信装置２０ａは、遅延プロファイル測定対象の拡散コードの個数に対応した、測定時間を保持して、拡散コードの個数の増減により、測定時間を変更して遅延プロファイル測定を行う。
【００６６】
通信装置２０ａは、測定時間保持部２１ａ、変化認識部２２ａ、測定時間取得部２３ａ、遅延プロファイル測定部２４ａから構成される。また、変化認識部２２ａは、拡散コード判定部２２ａ−１、測定周期判定部２２ａ−２から構成され、遅延プロファイル測定部２４ａは、遅延プロファイル測定制御部２４ａ−１、タイマ２４ａ−２、遅延プロファイル測定実行部２４ａ−３から構成される。
〔Ｓ３１〕測定時間保持部２１ａは、遅延プロファイル測定対象の拡散コードの個数の取りうるパターンのすべて（または必要な一部分のパターン）に対し、実験やシミュレーションなどで求めた、適した測定時間の値をあらかじめ記憶させておく。
〔Ｓ３２〕測定周期判定部２２ａ−２は、測定時間保持部２１ａで測定時間を決定する時に使用した測定周期を測定時間取得部２３ａに通知する。
〔Ｓ３３〕拡散コード判定部２２ａ−１は、遅延プロファイル測定実行部２４ａ−３に与える測定対象の拡散信号を受信して、拡散コード数を検出する。そして、遅延プロファイル測定する必要のある拡散コードの個数と、その個数分の拡散コードとを認識し、測定時間取得部２３ａにそれら個数と個数分の拡散コードとを通知する。
〔Ｓ３４〕測定時間取得部２３ａは、拡散コードの個数にもとづき、測定時間保持部２１ａから、個数に対応する測定時間を取得する。
〔Ｓ３５〕測定時間取得部２３ａは、遅延プロファイル測定部２４ａに、測定周期と、拡散コードの個数と、測定時間とを通知する。
〔Ｓ３６〕遅延プロファイル測定制御部２４ａ−１は、遅延プロファイル測定実行部２４ａ−３から送信された測定完了通知を受信すると、拡散コードの個数と、測定時間とを遅延プロファイル測定実行部２４ａ−３に通知して測定を開始させる。
〔Ｓ３７〕遅延プロファイル測定制御部２４ａ−１は、ステップＳ３６の動作と同時に、タイマ２４ａ−２に測定周期を通知し、その周期でカウントを開始させる。
〔Ｓ３８〕遅延プロファイル測定実行部２４ａ−３は、個数分の拡散コードにもとづき、受信した拡散信号に対して遅延プロファイル測定を行う。そして、測定が完了すると、遅延プロファイル測定結果を出力し、かつ測定完了通知を遅延プロファイル測定制御部２４ａ−１に送信する。
〔Ｓ３９〕遅延プロファイル測定制御部２４ａ−１は、測定完了通知とタイマ２４ａ−２からのタイムアウト通知を受信すると、遅延プロファイル測定実行部２４ａ−３に再び測定開始を通知する。
【００６７】
次に具体例をあげながら測定周期、測定時間、停止時間の関係について図２１〜図２６を用いて詳しく説明する。図２１は管理テーブルを示す図である。管理テーブル２１ａ−１は、測定時間保持部２１ａで保持されるテーブルであり、拡散コード個数と測定時間が対応したテーブルである。
【００６８】
この例では、遅延プロファイル測定対象の拡散コードの個数の取りうるパターンを１〜４８個とし、５０ｍｓの測定周期で遅延プロファイル測定を行うものとして、適切な測定時間を決定しておいた場合である。
【００６９】
図２２は拡散コードの個数の増減前の状態を示す図である、増減前の拡散コードの個数が１６個の場合は、図２１から測定時間は２ｍｓとなる。したがって、図２２中のｎは１６、遅延プロファイル測定時間ｔ２１は２ｍｓ、遅延プロファイル測定周期Ｔ２１は５０ｍｓ、遅延プロファイル測定停止時間ｔｓ２１は１８ｍｓとなる。
【００７０】
図２３は拡散コード個数が増加し、測定時間に変化がない場合の状態を示す図である。図２２の状態から、図中の拡散コード判定部２２ａ−１により拡散コードの個数が増加して２０個になった状態を考えると、図２１から測定時間は２ｍｓとなり、測定時間に変化はない。したがって、この場合の動作結果は、図２３の状態となり、図２３中のｎは１６、ｍは４、遅延プロファイル測定時間ｔ２２は２ｍｓ、遅延プロファイル測定周期Ｔ２２は５０ｍｓ、遅延プロファイル測定停止時間ｔｓ２２は１０ｍｓとなる。
【００７１】
図２４は拡散コード個数が増加し、測定時間に変化がある場合の状態を示す図である。図２２の状態から、拡散コードの個数が増加して３０個になった状態を考えると、図２１から測定時間は１ｍｓとなり、測定時間が変化する。したがって、この場合の動作結果は図２４の状態となり、図２４中のｎは１６、ｍは１４、遅延プロファイル測定時間ｔ２３は１ｍｓ、遅延プロファイル測定周期Ｔ２３は５０ｍｓ、遅延プロファイル測定停止時間ｔｓ２３は２０ｍｓとなる。
【００７２】
図２５は拡散コード個数が減少し、測定時間に変化がない場合の状態を示す図である。図２２の状態から、拡散コードの個数が減少して１２個になった状態を考えると、図２１から測定時間は２ｍｓとなり、測定時間に変化はない。したがって、この場合の動作結果は図２５の状態となり、図２５中のｎは１６、ｍは４、遅延プロファイル測定時間ｔ２４は２ｍｓ、遅延プロファイル測定周期Ｔ２４は５０ｍｓ、遅延プロファイル測定停止時間ｔｓ２４は２６ｍｓとなる。
【００７３】
図２６は拡散コード個数が減少し、測定時間に変化がある場合の状態を示す図である。図２２の状態から、拡散コードの個数が減少して８個になった状態を考えると、図２１から測定時間は４ｍｓとなり、測定時間が変化する。したがって、この場合の動作結果は図２６の状態であり、図２６中のｎは１６、ｍは８、遅延プロファイル測定時間ｔ２５は４ｍｓ、遅延プロファイル測定周期Ｔ２５は５０ｍｓ、遅延プロファイル測定停止時間ｔｓ２５は１８ｍｓとなる。
【００７４】
次に受信品質にしたがった測定周期の増減に応じて測定時間を変更して、遅延プロファイル測定を行う本発明の通信装置の構成及び動作（遅延プロファイル測定方法）について詳しく説明する。
【００７５】
図２７は通信装置の構成を示す図である。通信装置２０ｂは、受信品質にしたがった遅延プロファイル測定の測定周期に対応した、測定時間を保持して、測定周期の増減により測定時間を変更して、遅延プロファイル測定を行う。
【００７６】
通信装置２０ｂは、測定時間保持部２１ｂ、変化認識部２２ｂ、測定時間取得部２３ｂ、遅延プロファイル測定部２４ｂから構成される。変化認識部２２ｂは、拡散コード判定部２２ｂ−１、測定周期判定部２２ｂ−２から構成され、遅延プロファイル測定部２４ｂは、遅延プロファイル測定制御部２４ｂ−１、タイマ２４ｂ−２、遅延プロファイル測定実行部２４ｂ−３から構成される。
〔Ｓ４１〕測定時間保持部２１ｂは、受信状況の情報にしたがった測定周期の取りうるパターンのすべて（または必要な一部分のパターン）に対し、実験やシミュレーションなどで求めた、適した測定時間の値をあらかじめ記憶させておく。
〔Ｓ４２〕測定周期判定部２２ｂ−２は、受信状況の情報を受信して、所定品質を満たせる測定周期を測定時間取得部２３ｂに通知する。
〔Ｓ４３〕拡散コード判定部２２ｂ−１は、拡散信号を受信して、拡散コードを検出する。そして、拡散コードの個数を測定時間取得部２３ｂに通知する。
〔Ｓ４４〕測定時間取得部２３ｂは、測定周期にもとづき、測定時間保持部２１ｂから、測定周期に対応する測定時間を取得する。
〔Ｓ４５〕測定時間取得部２３ｂは、遅延プロファイル測定部２４ｂに、測定周期と、拡散コードの個数と、測定時間とを通知する。
〔Ｓ４６〕遅延プロファイル測定制御部２４ｂ−１は、遅延プロファイル測定実行部２４ｂ−３から送信された測定完了通知を受信すると、拡散コードの個数と、測定時間とを遅延プロファイル測定実行部２４ｂ−３に通知して測定を開始させる。
〔Ｓ４７〕遅延プロファイル測定制御部２４ｂ−１は、ステップＳ４６の動作と同時に、タイマ２４ｂ−２に測定周期を通知し、その周期でカウントを開始させる。
〔Ｓ４８〕遅延プロファイル測定実行部２４ｂ−３は、個数分の拡散コードにもとづき、受信した拡散信号に対して遅延プロファイル測定を行う。そして、測定が完了すると、遅延プロファイル測定結果を出力し、かつ測定完了通知を遅延プロファイル測定制御部２４ｂ−１に送信する。
〔Ｓ４９〕遅延プロファイル測定制御部２４ｂ−１は、測定完了通知とタイマ２４ｂ−２からのタイムアウト通知を受信すると、遅延プロファイル測定実行部２４ｂ−３に再び測定開始を通知する。
【００７７】
次に具体例をあげながら測定周期、測定時間、停止時間の関係について図２８〜図３３を用いて詳しく説明する。図２８は管理テーブルを示す図である。管理テーブル２１ｂ−１は、測定時間保持部２１ｂで保持されるテーブルであり、受信状況の情報にしたがった測定周期と測定時間が対応したテーブルである。
【００７８】
この例では、受信状況の情報にしたがった測定周期の取りうるパターンを５０ｍｓから４００ｍｓまでの時間とし、拡散コードの個数は最大４８個で遅延プロファイル測定を行うものとして、適切な測定時間を決定しておいた場合である。
【００７９】
図２９は測定周期増減前の状態を示す図である。増減前の測定周期が１５０ｍｓの場合は、図２８による測定時間は２ｍｓとなる。したがって、拡散コードの個数が図２７中の拡散コード判定部２２ｂ−１により４０個と判定されたとすると、図２９中のｎは４０、遅延プロファイル測定時間ｔ３１は２ｍｓ、遅延プロファイル測定周期Ｔ３１は１５０ｍｓ、遅延プロファイル測定停止時間ｔｓ３１は７０ｍｓとなる。
【００８０】
図３０は測定周期が増加し、測定時間に変化がない場合の状態を示す図である。図２９の状態から、測定周期が増加して１９０ｍｓになった状態を考えると、図２８から測定時間は２ｍｓとなり、測定時間に変化はない。したがって、この場合の動作結果は図３０の状態となり、図３０中のｎは４０、遅延プロファイル測定時間ｔ３２は２ｍｓ、遅延プロファイル測定周期Ｔ３２は１９０ｍｓ、遅延プロファイル測定停止時間ｔｓ３２は１１０ｍｓとなる。
【００８１】
図３１は測定周期が増加し、測定時間に変化がある場合の状態を示す図である。図２９の状態から、測定周期が増加して３００ｍｓになった状態を考えると、図２８から測定時間は４ｍｓとなり、測定時間が変化する。したがって、この場合の動作結果は図３１の状態であり、図３１中のｎは４０、遅延プロファイル測定時間ｔ３３は４ｍｓ、遅延プロファイル測定周期Ｔ３３は３００ｍｓ、遅延プロファイル測定停止時間ｔｓ３３は１４０ｍｓとなる。
【００８２】
図３２は測定周期が減少し、測定時間に変化がない場合の状態を示す図である。図２９の状態から、測定周期が減少して１００ｍｓになった状態を考えると、図２８から測定時間は２ｍｓとなり、測定時間に変化はない。したがって、この場合の動作結果は図３２の状態となり、図３２中のｎは４０、遅延プロファイル測定時間ｔ３４は２ｍｓ、遅延プロファイル測定周期Ｔ３４は１００ｍｓ、遅延プロファイル測定停止時間ｔｓ３４は２０ｍｓとなる。
【００８３】
図３３は測定周期が減少し、測定時間に変化がある場合の状態を示す図である。図２９の状態から、測定周期が減少して５０ｍｓになった状態を考えると、図２８から測定時間は１ｍｓとなり、測定時間が変化する。したがって、この場合の動作結果は図３３の状態となり、図３３中のｎは４０、遅延プロファイル測定時間ｔ３５は１ｍｓ、遅延プロファイル測定周期Ｔ３５は５０ｍｓ、遅延プロファイル測定停止時間ｔｓ３５は１０ｍｓとなる。
【００８４】
次に拡散コードの個数及び受信状況の情報にしたがった測定周期の増減に応じて測定時間を変更して、遅延プロファイル測定を行う本発明の通信装置の構成及び動作（遅延プロファイル測定方法）について詳しく説明する。
【００８５】
図３４は通信装置の構成を示す図である。通信装置２０ｃは、遅延プロファイル測定対象の拡散コードの個数及び受信状況の情報にしたがった遅延プロファイル測定の測定周期に対応した、遅延プロファイル測定の測定時間を保持して、拡散コードの個数の増減及び測定周期の増減により、測定時間を変更して遅延プロファイル測定を行う。
【００８６】
通信装置２０ｃは、測定時間保持部２１ｃ、変化認識部２２ｃ、測定時間取得部２３ｃ、遅延プロファイル測定部２４ｃから構成される。変化認識部２２ｃは、拡散コード判定部２２ｃ−１、測定周期判定部２２ｃ−２から構成され、遅延プロファイル測定部２４ｃは、遅延プロファイル測定制御部２４ｃ−１、タイマ２４ｃ−２、遅延プロファイル測定実行部２４ｃ−３から構成される。
〔Ｓ５１〕測定時間保持部２１ｃは、遅延プロファイル測定対象の拡散コードの個数の取りうるパターンと、受信状況の情報にしたがった測定周期の取りうるパターンとの組み合わせ（または必要な一部分に対する組み合わせ）に対し、実験やシミュレーションなどで求めた、適した測定時間の値をあらかじめ記憶させておく。
〔Ｓ５２〕測定周期判定部２２ｃ−２は、受信状況の情報を受信して、その品質を満たせる測定周期を測定時間取得部２３ｃに通知する。
〔Ｓ５３〕拡散コード判定部２２ｃ−１は、拡散信号を受信して、拡散コードを検出し、拡散コードの個数を測定時間取得部２３ｃに通知する。
〔Ｓ５４〕測定時間取得部２３ｃは、拡散コードの個数と測定周期との組み合わせにもとづき、測定時間保持部２１ｃから、組み合わせに対応する測定時間を取得する。
〔Ｓ５５〕測定時間取得部２３ｃは、遅延プロファイル測定部２４ｃに、測定周期と、拡散コードの個数と、測定時間とを通知する。
〔Ｓ５６〕遅延プロファイル測定制御部２４ｃ−１は、遅延プロファイル測定実行部２４ｃ−３から送信された測定完了通知を受信すると、拡散コードの個数と、測定時間とを遅延プロファイル測定実行部２４ｃ−３に通知して測定を開始させる。
〔Ｓ５７〕遅延プロファイル測定制御部２４ｃ−１は、ステップＳ５６の動作と同時に、タイマ２４ｃ−２に測定周期を通知し、その周期でカウントを開始させる。
〔Ｓ５８〕遅延プロファイル測定実行部２４ｃ−３は、個数分の拡散コードにもとづき、受信した拡散信号に対して遅延プロファイル測定を行う。そして、測定が完了すると、遅延プロファイル測定結果を出力し、かつ測定完了通知を遅延プロファイル測定制御部２４ｃ−１に送信する。
〔Ｓ５９〕遅延プロファイル測定制御部２４ｃ−１は、測定完了通知とタイマ２４ｃ−２からのタイムアウト通知を受信すると、遅延プロファイル測定実行部２４ｃ−３に再び測定開始を通知する。
【００８７】
図３５は管理テーブルを示す図である。管理テーブル２１ｃ−１は、測定時間保持部２１ｃで保持されるテーブルであり、拡散コード個数、測定時間、測定周期の組み合わせを記したテーブルである。
【００８８】
この例では、遅延プロファイル測定対象の拡散コードの個数の取りうるパターンを１〜４８個とし、受信状況の情報にしたがった測定周期の取りうるパターンを５０ｍｓ〜４００ｍｓまでの時間として、適切な測定時間を決定しておいた場合である。なお、このテーブルを使用しての測定周期、測定時間、停止時間の関係を示す状態については、上述した内容と基本的な考え方は同様であるので説明は省略する。
【００８９】
以上説明したように、本発明によれば、遅延プロファイル測定対象の拡散コードの個数や受信状況の情報にしたがった測定周期の取りうるパターンに対して、あらかじめ測定時間を用意しておくので、拡散コードの個数や測定周期の増減が生じたときに、即座に測定時間を変更することができる。このため、遅延プロファイル測定の設定時間に柔軟性を持たせ、遅延プロファイル測定を行う回路の測定周期、測定時間、停止時間といった時間的な利用率を必要に応じて柔軟に変更できるので、伝送品質の向上を図ることが可能になる。
【００９０】
また、測定時間を変更する必要性の出てきた時点で、変更すべき測定時間を計算するなどといった回路が不要であるため、回路構成が簡略化され、装置の小型化が可能になる。
【００９１】
（付記１）  無線通信を行う通信装置において、
無線環境、サービス品質に対応した、遅延プロファイル測定の測定周期を保持する測定周期保持部と、
無線環境、サービス品質の変化を認識して通知する変化認識部と、
通知された変化に応じた測定周期を前記測定周期保持部から取得する測定周期取得部と、
取得した測定周期にもとづき、遅延プロファイル測定に必要な適切な時間内で、遅延プロファイル測定を行う遅延プロファイル測定部と、
を有することを特徴とする通信装置。
【００９２】
（付記２）  前記測定周期保持部は、無線環境として、遅延プロファイル測定対象の拡散コードの個数に対応した、遅延プロファイル測定の測定周期を保持し、前記変化認識部は、無線環境の変化として、前記拡散コードの個数の増減を認識することを特徴とする付記１記載の通信装置。
【００９３】
（付記３）  前記測定周期保持部は、サービス品質として、受信品質にしたがった遅延プロファイル測定の測定時間に対応した、遅延プロファイル測定の測定周期を保持し、前記変化認識部は、サービス品質の変化として、前記測定時間の増減を認識することを特徴とする付記１記載の通信装置。
【００９４】
（付記４）  前記測定周期保持部は、無線環境及びサービス品質として、遅延プロファイル測定対象の拡散コードの個数及び受信品質にしたがった遅延プロファイル測定の測定時間に対応した、遅延プロファイル測定の測定周期を保持し、前記変化認識部は、無線環境及びサービス品質の変化として、前記拡散コードの個数の増減及び前記測定時間の増減を認識することを特徴とする付記１記載の通信装置。
【００９５】
（付記５）  無線通信を行う通信装置において、
無線環境、サービス品質に対応した、遅延プロファイル測定の測定時間を保持する測定時間保持部と、
無線環境、サービス品質の変化を認識して通知する変化認識部と、
通知された変化に応じた測定時間を前記測定時間保持部から取得する測定時間取得部と、
取得した測定時間にもとづき、遅延プロファイル測定に必要な適切な時間内で、遅延プロファイル測定を行う遅延プロファイル測定部と、
を有することを特徴とする通信装置。
【００９６】
（付記６）  前記測定時間保持部は、無線環境として、遅延プロファイル測定対象の拡散コードの個数に対応した、遅延プロファイル測定の測定時間を保持し、前記変化認識部は、無線環境の変化として、前記拡散コードの個数の増減を認識することを特徴とする付記５記載の通信装置。
【００９７】
（付記７）  前記測定時間保持部は、サービス品質として、受信品質にしたがった遅延プロファイル測定の測定周期に対応した、遅延プロファイル測定の測定時間を保持し、前記変化認識部は、サービス品質の変化として、前記測定周期の増減を認識することを特徴とする付記５記載の通信装置。
【００９８】
（付記８）  前記測定時間保持部は、無線環境及びサービス品質として、遅延プロファイル測定対象の拡散コードの個数及び受信品質にしたがった遅延プロファイル測定の測定周期に対応した、遅延プロファイル測定の測定時間を保持し、前記変化認識部は、無線環境及びサービス品質の変化として、前記拡散コードの個数の増減及び前記測定周期の増減を認識することを特徴とする付記５記載の通信装置。
【００９９】
（付記９）  遅延プロファイル測定を行う遅延プロファイル測定方法において、
遅延プロファイル測定対象の拡散コードの個数、または受信品質にしたがった遅延プロファイル測定の測定時間の少なくとも一方に対応した、遅延プロファイル測定の測定周期を保持し、
前記拡散コードの個数、または前記測定時間の少なくとも一方の変化を認識し、
変化に応じて測定周期を変更し、
変更した測定周期にもとづき、遅延プロファイル測定に必要な適切な時間内で、遅延プロファイル測定を行うことを特徴とする遅延プロファイル測定方法。
【０１００】
（付記１０）  遅延プロファイル測定を行う遅延プロファイル測定方法において、
遅延プロファイル測定対象の拡散コードの個数、または受信品質にしたがった遅延プロファイル測定の測定周期の少なくとも一方に対応した、遅延プロファイル測定の測定時間を保持し、
前記拡散コードの個数、または前記測定周期の少なくとも一方の変化を認識し、
変化に応じて測定時間を変更し、
変更した測定時間にもとづき、遅延プロファイル測定に必要な適切な時間内で、遅延プロファイル測定を行うことを特徴とする遅延プロファイル測定方法。
【０１０１】
（付記１１）  遅延波のタイミング検出に用いる、受信信号と拡散コードとの相関情報である遅延プロファイル情報を生成する機能を備えた、スペクトラム拡散された無線信号を受信する受信装置において、
前記遅延プロファイルの生成は、該生成の対象の拡散コードが複数ある場合に、拡散コードを順に相関検出を行う相関検出部に設定して、前記相関情報を測定して、同一の拡散コードについてはそれぞれ所定の周期で前記相関検出を行い、前記生成の対象の拡散コードの数が増加した場合又は前記同一の拡散コードを設定して相関情報を測定する時間が増加した場合に、前記所定の周期を増大させる方向に反映させる反映部、
を備えたことを特徴とする受信装置。
【０１０２】
【発明の効果】
以上説明したように、本発明の通信装置は、無線環境、サービス品質に対応した、遅延プロファイル測定の測定周期を保持し、無線環境、サービス品質の変化に応じた測定周期で遅延プロファイル測定を行う構成とした。これにより、測定条件に応じて、測定周期を適切な値に変更して遅延プロファイル測定を行うことができるので、伝送品質の向上を図ることが可能になる。
【図面の簡単な説明】
【図１】本発明の通信装置の原理図である。
【図２】コード拡散方式を説明するための図である。
【図３】遅延プロファイルの測定周期及び測定時間を示す図である。
【図４】通信装置の構成を示す図である。
【図５】管理テーブルを示す図である。
【図６】拡散コードの個数が増減する前の状態を示す図である。
【図７】拡散コードの個数が増加し、測定周期に変化がない場合の状態を示す図である。
【図８】拡散コードの個数が増加し、測定周期に変化がある場合の状態を示す図である。
【図９】拡散コードの個数が減少し、測定周期に変化がない場合の状態を示す図である。
【図１０】拡散コードの個数が減少し、測定周期に変化がある場合の状態を示す図である。
【図１１】通信装置の構成を示す図である。
【図１２】管理テーブルを示す図である。
【図１３】測定時間が増減する前の状態を示す図である。
【図１４】測定時間が増加し、測定周期に変化がない場合の状態を示す図である。
【図１５】測定時間が増加し、測定周期に変化がある場合の状態を示す図である。
【図１６】測定時間が減少し、測定周期に変化がない場合の状態を示す図である。
【図１７】測定時間が減少し、測定周期に変化がある場合の状態を示す図である。
【図１８】通信装置の構成を示す図である。
【図１９】管理テーブルを示す図である。
【図２０】通信装置の構成を示す図である。
【図２１】管理テーブルを示す図である。
【図２２】拡散コードの個数の増減前の状態を示す図である。
【図２３】拡散コード個数が増加し、測定時間に変化がない場合の状態を示す図である。
【図２４】拡散コード個数が増加し、測定時間に変化がある場合の状態を示す図である。
【図２５】拡散コード個数が減少し、測定時間に変化がない場合の状態を示す図である。
【図２６】拡散コード個数が減少し、測定時間に変化がある場合の状態を示す図である。
【図２７】通信装置の構成を示す図である。
【図２８】管理テーブルを示す図である。
【図２９】測定周期増減前の状態を示す図である。
【図３０】測定周期が増加し、測定時間に変化がない場合の状態を示す図である。
【図３１】測定周期が増加し、測定時間に変化がある場合の状態を示す図である。
【図３２】測定周期が減少し、測定時間に変化がない場合の状態を示す図である。
【図３３】測定周期が減少し、測定時間に変化がある場合の状態を示す図である。
【図３４】通信装置の構成を示す図である。
【図３５】管理テーブルを示す図である。
【図３６】遅延プロファイルの測定周期及び測定時間を示す図である。
【符号の説明】
１０  通信装置
１１  測定周期保持部
１２  変化認識部
１３  測定周期取得部
１４  遅延プロファイル測定部
【図１】
2004179835.tif 000003
【図２】
2004179835.tif 000004
【図３】
2004179835.tif 000005
【図４】
2004179835.tif 000006
【図５】
2004179835.tif 000007
【図６】
2004179835.tif 000008
【図７】
2004179835.tif 000009
【図８】
2004179835.tif 000010
【図９】
2004179835.tif 000011
【図１０】
2004179835.tif 000012
【図１１】
2004179835.tif 000013
【図１２】
2004179835.tif 000014
【図１３】
2004179835.tif 000015
【図１４】
2004179835.tif 000016
【図１５】
2004179835.tif 000017
【図１６】
2004179835.tif 000018
【図１７】
2004179835.tif 000019
【図１８】
2004179835.tif 000020
【図１９】
2004179835.tif 000021
【図２０】
2004179835.tif 000022
【図２１】
2004179835.tif 000023
【図２２】
2004179835.tif 000024
【図２３】
2004179835.tif 000025
【図２４】
2004179835.tif 000026
【図２５】
2004179835.tif 000027
【図２６】
2004179835.tif 000028
【図２７】
2004179835.tif 000029
【図２８】
2004179835.tif 000030
【図２９】
2004179835.tif 000031
【図３０】
2004179835.tif 000032
【図３１】
2004179835.tif 000033
【図３２】
2004179835.tif 000034
【図３３】
2004179835.tif 000035
【図３４】
2004179835.tif 000036
【図３５】
2004179835.tif 000037
【図３６】
2004179835.tif 000038